(57)【要約】【課題】ホストをＨＩＤに変換することにより、無線方式によって少なくとも１つのホストが少なくとも１つの他のホストに対して無線制御又は入力作業を行えるようにする少なくとも２つのＨＩＤホスト間に応用される無線送信変換装置を提供する。【解決手段】少なくとも２つのＨＩＤホストは、少なくとも１つのＨＩＤホスト機能を有する第１の電子装置１と、少なくとも１つのＨＩＤホスト機能を有する第２の電子装置２と、を含む。無線送信変換装置３は、外付け方式又は内蔵方式により、第１の電子装置１と接続され、第１の電子装置１をＨＩＤとして報告する上、無線通信方式により、第２の電子装置２を第１の電子装置１と接続し、第２の電子装置２をＨＩＤに変換し、第１の電子装置１に対して無線制御又は入力作業を行えるようにする。【選択図】図２
0003173500.tif 000002
【実用新案登録請求の範囲】
【請求項１】
少なくとも２つのＨＩＤホスト間に応用される無線送信変換装置であって、
前記少なくとも２つのＨＩＤホストは、ＨＩＤホスト機能を有する少なくとも１つの第１の電子装置及び少なくとも１つの第２の電子装置を有し、
前記無線送信変換装置は、少なくとも１つのコントローラ及び少なくとも１つの無線通信素子を備える上、前記第１の電子装置と接続され、
前記少なくとも１つのコントローラは、前記第１の電子装置をＨＩＤとして報告し、
前記少なくとも１つの無線通信素子は、無線送信方式により、前記第２の電子装置を前記第１の電子装置と接続し、
前記第２の電子装置は、前記無線送信変換装置により、ＨＩＤに変換され、前記第１の電子装置に対して無線制御又は入力作業を行うために用いられることを特徴とする少なくとも２つのＨＩＤホスト間に応用される無線送信変換装置。
【請求項２】
前記無線送信変換装置は、前記第１の電子装置に内蔵される上、前記第１の電子装置と接続されることを特徴とする請求項１に記載の少なくとも２つのＨＩＤホスト間に応用される無線送信変換装置。
【請求項３】
前記無線送信変換装置は、構造物であり、接続インターフェースを介し、外付け方式により、前記第１の電子装置と接続されることを特徴とする請求項１に記載の少なくとも２つのＨＩＤホスト間に応用される無線送信変換装置。
【請求項４】
前記無線送信変換装置は、構造物であり、ＵＳＢ接続インターフェースを介し、外付け方式により、前記第１の電子装置と接続されることを特徴とする請求項３に記載の少なくとも２つのＨＩＤホスト間に応用される無線送信変換装置。
【請求項５】
前記無線通信方式は、ブルートゥース、ＷｉＦｉ、ＮＦＣ及び無線送受信中の１つ、２つ又は２つ以上の組み合わせであることを特徴とする請求項１に記載の少なくとも２つのＨＩＤホスト間に応用される無線送信変換装置。
【請求項６】
前記ＨＩＤに変換される第２の電子装置は、キーボード、マウス、タッチパッド及びタッチパネル中の１つ、２つ又は２つ以上の組み合わせであり、第１の電子装置に対して前記ＨＩＤに対応する無線制御又は入力作業を行うために用いられることを特徴とする請求項１に記載の少なくとも２つのＨＩＤホスト間に応用される無線送信変換装置。
【請求項７】
前記ＨＩＤホスト機能は、内蔵方式又は外付け方式により、前記第１の電子装置及び前記第２の電子装置に設置されることを特徴とする請求項１に記載の少なくとも２つのＨＩＤホスト間に応用される無線送信変換装置。
【請求項８】
少なくとも２つのＨＩＤホスト間に応用される無線送信システムであって、
前記無線送信システムは、少なくとも２つのＨＩＤホスト機能を有する電子装置と、少なくとも１つの無線送信変換装置と、を備え、
前記少なくとも２つのＨＩＤホスト機能を有する電子装置は、少なくとも１つの第１の電子装置及び少なくとも１つの第２の電子装置を有し、
前記無線送信変換装置は、前記第１の電子装置と接続され、前記第１の電子装置をＨＩＤとして報告する上、無線送信方式により、前記第２の電子装置を前記第１の電子装置と接続し、前記第２の電子装置をＨＩＤに変換し、前記第１の電子装置に対して無線制御又は入力作業を行えるようにすることを特徴とする少なくとも２つのＨＩＤホスト間に応用される無線送信システム。
【請求項９】
前記第１の電子装置は、デスクトップ型コンピュータ、ノート型コンピュータ、タブレットパソコン、ネットワークテレビ及び産業用コンピュータ中の１つ、２つ又は２つ以上の組み合わせであることを特徴とする請求項８に記載の少なくとも２つのＨＩＤホスト間に応用される無線送信システム。
【請求項１０】
前記第２の電子装置は、携帯電話、タブレットコンピュータ及び同類の携帯型装置中の１つ、２つ又は２つ以上の組み合わせであることを特徴とする請求項８に記載の少なくとも２つのＨＩＤホスト間に応用される無線送信システム。
【請求項１１】
前記無線送信変換装置は、第１の電子装置をＨＩＤとして報告する少なくとも１つのコントローラと、前記第２の電子装置を前記第１の電子装置と無線通信方式によって接続する少なくとも１つの無線通信素子と、を有することを特徴とする請求項８に記載の少なくとも２つのＨＩＤホスト間に応用される無線送信システム。
【請求項１２】
前記無線送信変換装置は、前記第１の電子装置に内蔵される上、前記第１の電子装置と接続されることを特徴とする請求項８に記載の少なくとも２つのＨＩＤホスト間に応用される無線送信システム。
【請求項１３】
前記無線送信変換装置は、構造物であり、接続インターフェースを介し、外付け方式により、前記第１の電子装置と接続されることを特徴とする請求項８に記載の少なくとも２つのＨＩＤホスト間に応用される無線送信システム。
【請求項１４】
前記無線送信変換装置は、構造物であり、ＵＳＢ接続インターフェースを介し、外付け方式により、前記第１の電子装置と接続されることを特徴とする請求項８に記載の少なくとも２つのＨＩＤホスト間に応用される無線送信システム。
【請求項１５】
前記無線通信方式は、ブルートゥース、ＷｉＦｉ、ＮＦＣ、無線送受信中の１つ、２つ又は２つ以上の組み合わせであることを特徴とする請求項８に記載の少なくとも２つのＨＩＤホスト間に応用される無線送信システム。
【請求項１６】
前記ＨＩＤに変換される第２の電子装置は、キーボード、マウス、タッチパッド及びタッチパネル中の１つ、２つ又は２つ以上の組み合わせであり、第１の電子装置に対して無線制御又は入力作業を行うために用いられることを特徴とする請求項８に記載の少なくとも２つのＨＩＤホスト間に応用される無線送信システム。
【請求項１７】
前記ＨＩＤホスト機能は、内蔵方式又は外付け方式により、前記第１の電子装置及び前記第２の電子装置に設置されることを特徴とする請求項８に記載の少なくとも２つのＨＩＤホスト間に応用される無線送信システム。
【考案の詳細な説明】
【技術分野】
【０００１】
本考案は、少なくとも２つのヒューマンインターフェース装置ホスト（以下「ＨＩＤホスト」という）間に応用される無線送信変換装置及びそのシステムに関し、特に、少なくとも２つのＨＩＤホスト中の少なくとも１つのホストをヒューマンインターフェース装置（以下「ＨＩＤ」という）に変換し、少なくとも１つのホストが少なくとも１つの他のホストに対して無線送信方式によって無線制御又は入力作業を行えるようにする無線送信変換装置及びそのシステムに関する。
【背景技術】
【０００２】
ホストには、様々な状況下において、ユーザによって入力動作が行われ、ユーザからのコマンドを受信したホストは、その作業又は機能を実行する。
【０００３】
従来のアーキテクチャにおいて、一般に、ユーザは、所定又は専用の無線マウス、無線キーボード、無線ペンタブレット、ブルートゥース（登録商標）マウス、ブルートゥースキーボード、ブルートゥースペンタブレットなど、ＨＩＤ（Ｈｕｍａｎ  Ｉｎｔｅｒｆａｃｅ  Ｄｅｖｉｃｅ）設計されたハードウェアを介し、ホストに対して入力動作を行う。即ち、従来技術においては、１つの電子装置に対して無線制御又は入力作業を行う場合、専用のハードウェアを使用する必要がある。例えば、コンピュータに対して無線制御又は入力作業を行う場合、無線発信機を有するマウスと、対応するＵＳＢ無線受信機と、を含む無線マウスが使用される。或いは、無線発信機を有するキーボードと、対応するＵＳＢ無線受信機と、を含む無線キーボードが使用される。或いは、ブルートゥース無線発信機を有するブルートゥースキーボードが使用される。或いは、ブルートゥース無線発信機を有するブルートゥースマウスが使用される。或いは、無線ペンタブレット、ブルートゥースペンタブレットなどの各種無線ＨＩＤハードウェアが使用される。また、テレビの場合、リモコンにより、入力が行われる。
【０００４】
しかし、携帯電話、タブレットコンピュータ及び他の携帯型装置が普及するようになって以来、携帯型装置を利用して他の装置に対して無線入力又は無線制御する技術が案出された。従来技術における方法は、携帯電話に内蔵されるキーボード、タッチパネル、赤外線モジュール又はＷｉ−Ｆｉ（登録商標）モジュールを使用するものである。
【０００５】
しかし、赤外線モジュールを使用する場合、従来の赤外線モジュールを有する携帯電話又は装置は、市場において減少傾向にある上、携帯電話又は装置に入力及び制御ソフトウェアをインストールしても、赤外線モジュールを有する家電製品しか制御することができないため、リモコンとしての機能しか有さず、使用可能な機能及び効率が限定されるという欠点がある。
【０００６】
また、ＷｉＦｉを使用する方法は、入力装置と被入力装置とをＷｉＦｉを介して相互通信するものである。この方法の場合、入力装置及び被入力装置には、ソフトウェアをインストールする必要がある。入力装置は、各種の入力信号をインターネットを介して被入力装置に送信する。しかし、使用する際、入力装置及び被入力装置に正確なネットワークパラメータを設定する必要があるため、利便性が高いとは言い難く、インターネットが断線した場合、入力装置と被入力装置との相互通信が遮断されてしまう。また、浮動ＩＰを使用したり、外出先で使用したりする場合、使用する前に、再設定を行う必要がある。また、インターネットが使用できない環境にいる場合、使用することができない。
【０００７】
即ち、従来技術においては、専用のハードウェアを使用する場合、携帯に不便であるという欠点が存在し、携帯型装置を使用する場合、応用性が限定されたり、インターネットに接続するために発生する問題を解決しなければならないという欠点が存在する。
【０００８】
携帯電話、タブレットコンピュータ、ノート型コンピュータなどの各種ＨＩＤホストが普及している上、環境保護が提唱される今日において、如何にして、少なくとも１つのホストが少なくとも１つの他のホストに対して入力動作を行えるようにするかは、非常に重要な課題となっている。従来の方法は、主に、インターネットに接続する方式又は有線送信方式により、２つのホストを接続し、ユーザが何れか１つのホストを利用して他のホストに対して入力を行うものである。しかし、インターネットに接続する方式の場合、設定上、不便である上、ホストの互換性の問題もある。また、有線送信方式の場合、接続端子及び接続線の互換性上、多くの問題がある。
【０００９】
従来のホストに対する入力方式は、主に、専用のＨＩＤが使用され、有線又は無線の接続方式により、ＨＩＤをホストに接続し、ＨＩＤを介し、ホストに対して入力動作を行うものである。また、各種ホスト及びインターネットが普及して以来、インターネットに接続する方式により、１つのホストから少なくとも１つの他のホストに対して入力を行う製品及び技術も多く出現した。
【００１０】
しかし、以上の２種の従来技術において、専用のＨＩＤを介してホストに対して入力を行う方式は、一般に、複数のホストが存在し、例えば、専用のキーボード及び／又はマウスを利用してコンピュータ又は携帯電話に対して入力を行うなど、複数のＨＩＤを組み合わせて使用する必要がある。このため、携帯に非常に不便である上、環境保護の観点からも好適であるとは言えない。また、インターネットを利用して１つのホストから少なくとも１つの他のホストに対して入力動作を行う方式は、ソフトウェアをインストールしたり、インターネットを設定したりする必要がある上、インターネットに接続できない場合もあるため、極めて不便である。
【００１１】
本考案は、従来技術における、少なくとも１つのホストが少なくとも１つの他のホストに対して入力作業を行う場合に発生する問題を有効に解決するものである。
【先行技術文献】
【特許文献】
【００１２】
【特許文献１】特開２０００−６８９５９号公報
【考案の概要】
【考案が解決しようとする課題】
【００１３】
本考案の目的は、１つのホストをＨＩＤに変換することにより、少なくとも１つのホストが無線方式によって少なくとも１つの他のホストに対して無線制御又は入力作業を行えるようにする少なくとも２つのＨＩＤホスト間に応用される無線送信変換装置を提供することにある。
【課題を解決するための手段】
【００１４】
上述の課題を解決するために、本考案の無線送信変換装置は、少なくとも２つのホストに応用される。本考案において、ホストとは、ＨＩＤホスト機能を有する電子装置を指す。上述の少なくとも２つのホストは、少なくとも１つの第１の電子装置及び少なくとも１つの第２の電子装置を含む。無線送信変換装置は、第１の電子装置と接続され、第１の電子装置をＨＩＤとして報告する上、第２の電子装置を第１の電子装置と無線通信方式によって接続することにより、第１の電子装置が第２の電子装置からの無線信号を受信できるようにする。本考案の無線送信変換装置により、第２の電子装置は、ＨＩＤに変換され、第１の電子装置に対して無線制御又は入力作業を行えるようになる。
【００１５】
本考案の一実施形態において、第１の電子装置は、デスクトップ型コンピュータ、ノート型コンピュータ、タブレットコンピュータ、ネットワークテレビ及び産業用コンピュータ中の１つ、２つ又は２つ以上の組み合わせである。
【００１６】
本考案の一実施形態において、第２の電子装置は、携帯電話、タブレットコンピュータ及び同類の携帯型装置中の１つ、２つ又は２つ以上の組み合わせである。
【００１７】
本考案の一実施形態において、無線送信変換装置は、第１の電子装置をＨＩＤとして報告する少なくとも１つのコントローラと、第２の電子装置が第１の電子装置と無線通信方式によって接続できるようにする少なくとも１つの無線通信素子と、を含む。
【００１８】
本考案の一実施形態において、無線送信変換装置は、第１の電子装置に内蔵される上、第１の接続装置と接続される。
【００１９】
本考案の一実施形態において、無線送信変換装置は、構造物であり、接続インターフェースを介し、外付け方式により、第１の電子装置と接続される。接続インターフェースは、ＵＳＢ（Ｕｎｉｖｅｒｓａｌ  Ｓｅｒｉａｌ  Ｂｕｓ）、１３９４接続インターフェース及びＴｈｕｎｄｅｒｂｏｌｔ（登録商標）接続インターフェース（米国Ｉｎｔｅｌ社）を含む（これのみに限定されない）。
【００２０】
本考案の一実施形態において、無線通信方式は、ブルートゥース、Ｗｉ−Ｆｉ、ＮＦＣ（Ｎｅａｒ  Ｆｉｅｌｄ  Ｃｏｍｍｕｎｉｃａｔｉｏｎ）及び無線（無線周波数）送受信（２．４ＧＨｚ  ＲＦ  Ｔｒａｎｓｃｅｉｖｅｒなど）中の１つ、２つ又は２つ以上の組み合わせである。
【００２１】
本考案の一実施形態において、ＨＩＤに変換される第２の電子装置は、キーボード、マウス、タッチパッド及びタッチパネル中の１つ、２つ又は２つ以上の組み合わせであり、第１の電子装置に対して無線制御又は入力作業を行うために用いられる。
【００２２】
本考案の一実施形態において、ＨＩＤホスト機能は、内蔵方式又は外付け方式により、第１の電子装置及び第２の電子装置に設置される。
【考案の効果】
【００２３】
本考案の少なくとも２つのＨＩＤホスト間に応用される無線送信変換装置により、従来技術における、専用のＨＩＤを介してホストに入力を行ったり、インターネットを利用してホストから他のホストに入力を行ったりする際に発生する問題を解決することができる。
【図面の簡単な説明】
【００２４】
【図１】本考案の一実施形態による少なくとも２つのＨＩＤホスト間に応用される無線送信変換システムのアーキテクチャを示す模式図である。
【図２】本考案の一実施形態による少なくとも２つのＨＩＤホスト間に応用される無線送信変換システムのアーキテクチャを示すブロック図である。
【図３】本考案の一実施形態による無線送信変換装置の構造を示すブロック図である。
【図４】本考案の第１実施形態（単一の第２の電子装置が単一の第１の電子装置に対して無線制御又は入力作業を行う）による無線送信変換システムを示すブロック図である。
【図５】本考案の第２実施形態（単一の第２の電子装置が単一の第１の電子装置に対して無線制御又は入力作業を行う）による無線送信変換システムを示すブロック図である。
【図６】本考案の第３実施形態（単一の第２の電子装置が単一の第１の電子装置に対して無線制御又は入力作業を行う）による無線送信変換システムを示すブロック図である。
【図７】本考案の第４実施形態（単一の第２の電子装置が単一の第１の電子装置に対して無線制御又は入力作業を行う）による無線送信変換システムを示すブロック図である。
【図８】本考案の第５実施形態（単一の第２の電子装置が単一の第１の電子装置に対して無線制御又は入力作業を行う）による無線送信変換システムを示すブロック図である。
【図９】本考案の第６実施形態（単一の第２の電子装置が単一の第１の電子装置に対して無線制御又は入力作業を行う）による無線送信変換システムを示すブロック図である。
【図１０】本考案の第７実施形態（単一の第２の電子装置が単一の第１の電子装置に対して無線制御又は入力作業を行う）による無線送信変換システムを示すブロック図である。
【図１１】本考案の第８実施形態（単一の第２の電子装置が単一の第１の電子装置に対して無線制御又は入力作業を行う）による無線送信変換システムを示すブロック図である。
【図１２】本考案の第９実施形態（複数の第２の電子装置が単一の第１の電子装置に対して無線制御又は入力作業を行う）による無線送信変換システムを示すブロック図である。
【図１３】本考案の第１０実施形態（単一の第２の電子装置が複数の第１の電子装置に対して無線制御又は入力作業を行う）による無線送信変換システムを示すブロック図である。
【考案を実施するための形態】
【００２５】
図１及び図２を参照する。図１は、本考案の一実施形態による少なくとも２つのＨＩＤホスト間に応用される無線送信変換システムのアーキテクチャを示す模式図である。図２は、本考案の一実施形態による少なくとも２つのＨＩＤホスト間に応用される無線送信変換システムのアーキテクチャを示すブロック図である。本考案は、少なくとも２つのＨＩＤホスト間に応用される無線送信変換装置３を提供するものである。無線送信変換システムのアーキテクチャは、少なくとも２つのＨＩＤホスト機能を有する第１の電子装置１及び第２の電子装置２と、少なくとも１つの無線送信変換装置３と、を含む。本考案を説明するのに都合がよいように、本考案におけるホストとは、ＨＩＤホスト機能を有する第１の電子装置１及び第２の電子装置２を指す。
【００２６】
少なくとも２つのＨＩＤホスト機能を有する電子装置は、少なくとも１つの第１の電子装置１及び少なくとも１つの第２の電子装置２を含む。
【００２７】
本考案の主要な技術特徴として、少なくとも１つの無線送信変換装置３は、第１の電子装置１と接続され、第１の電子装置１をＨＩＤとして報告する上、無線通信方式４により、第２の電子装置２を第１の電子装置１と接続し、第２の電子装置２をＨＩＤに変換し、無線通信方式４により、第１の電子装置１に対して無線制御又は入力作業を行う。
【００２８】
図１に示すように、第１の電子装置１は、デスクトップ型コンピュータ、ノート型コンピュータ、タブレットコンピュータ、ネットワークテレビ及び産業用コンピュータ中の１つ、２つ又は２つ以上の組み合わせである（これのみに限定されない）。
【００２９】
第２の電子装置２は、携帯電話、タブレットコンピュータ及び同類の携帯型装置中の１つ、２つ又は２つ以上の組み合わせである（これのみに限定されない）。
【００３０】
図３を参照する。図３に示すように、無線送信変換装置３は、第１の電子装置１をＨＩＤとして報告する少なくとも１つのコントローラ３１と、無線通信方式４により、第２の電子装置２が第１の電子装置１と接続できるようにする少なくとも１つの無線通信素子３２と、を含む（これのみに限定されない）。
【００３１】
無線送信変換装置３の設置方式は、限定されず、図２中の接続態様１Ａのように、第１の電子装置１に内蔵されてもよい。また、無線送信変換装置３は、図１中に示すように、単一の構造物とし、図２中の１Ｂのように、接続インターフェースを介し、外付け方式により、第１の電子装置１と接続されてもよい。接続インターフェースは、ＵＳＢ、１３９４接続インターフェース及びＴｈｕｎｄｅｒｂｏｌｔ接続インターフェースを含む（これのみに限定されない）。ここで、無線送信変換装置３は、ＵＳＢを接続インターフェースとし、外付け方式により、第１の電子装置１のＵＳＢポート（図示せず）を介して第１の電子装置１と接続されるのが好ましい。
【００３２】
第２の電子装置２は、無線送信変換装置３により、第１の電子装置１と無線通信方式４によって接続される。無線通信方式４は、ブルートゥース、Ｗｉ−Ｆｉ、ＮＦＣ及び無線送受信（２．４ＧＨｚ  ＲＦ  Ｔｒａｎｓｃｅｉｖｅｒなど）中の１つ、２つ又は２つ以上の組み合わせである（これのみに限定されない）。
【００３３】
第２の電子装置２は、無線送信変換装置３により、ＨＩＤに変換される。ＨＩＤに変換される第２の電子装置２は、キーボード、マウス、タッチパッド及びタッチパネル中の１つ、２つ又は２つ以上の組み合わせであり（これのみに限定されない）、第１の電子装置１に対してＨＩＤに対応する無線制御又は入力作業を行うために用いられる。
【００３４】
本考案のホストとは、ＨＩＤホスト機能を有する第１の電子装置１及び第２の電子装置２を指す。また、本考案の無線送信変換装置３の主な機能は、第１の電子装置１に接続され、無線通信方式により、第２の電子装置２を第１の電子装置１と接続し、第２の電子装置２をＨＩＤに変換し、第１の電子装置１に対して無線制御又は入力作業を行えるようにすることである。従って、第２の電子装置２及び第１の電子装置１は、図２に示すＨＩＤ２１の機能を有する。また、第２の電子装置２は、少なくとも１つの図２に示す無線送信装置２２を有する。ＨＩＤ２１及び無線送信装置２２の設置方式は限定されず、それぞれ、内蔵方式又は外付け方式によって第２の電子装置２に接続される。例えば、ＨＩＤ２１及び無線送信装置２２が内蔵方式により、第２の電子装置２と接続される（図２中の接続態様２Ａ）。或いは、ＨＩＤ２１が内蔵方式により、無線送信装置２２が外付け方式により、第２の電子装置２と接続される（図２中の接続態様２Ｂ）。或いは、ＨＩＤ２１が外付け方式により、無線送信装置２２が内蔵方式により、第２の電子装置２と接続される（図２中の接続態様２Ｃ）。或いは、ＨＩＤ２１及び無線送信装置２２が外付け方式により、第２の電子装置２と接続される（図２中の接続態様２Ｄ）。
【００３５】
本考案の使用方式及び機能を以下に示す。
【００３６】
ユーザは、すでにＨＩＤに変換された第２の電子装置２を使用し、ＨＩＤホストに変換された第１の電子装置１に対して入力動作（即ち、無線制御又は入力作業）を行うことができる。
【００３７】
一般に、第１の電子装置１及び第２の電子装置２（即ち、ホスト）には、ＨＩＤホストの機能が内蔵されており、ユーザは、ＨＩＤを介してホストに対して入力動作を行うことができる。しかし、第１の電子装置１及び第２の電子装置２（即ち、ホスト）に、ＨＩＤホストの機能が内蔵されていない場合、第１の電子装置１及び第２の電子装置２をＨＩＤとし、第１の電子装置１及び第２の電子装置２などの少なくとも１つ以上の他のホストに対して入力動作を行うことができない。
【００３８】
従って、本考案においては、ホストをＨＩＤとして報告することができる無線送信変換装置３が使用される。無線送信変換装置３は、第１の電子装置１（被入力）に設置される上、接続される。設置方式は、以下の接続態様を含む（これのみに限定されない）。例えば、無線送信変換装置３が第１の電子装置１（被入力）に内蔵され（図２中の接続態様１Ａ）、すでにＨＩＤに変換された第２の電子装置２により、無線制御又は入力作業が行われる。或いは、無線送信変換装置３が第１の電子装置１（被入力）に外付けされ（図２中の接続態様１Ｂ）、すでにＨＩＤに変換された第２の電子装置２により、無線制御又は入力作業が行われる。無線送信変換装置３がすでに設置された第１の電子装置１（即ち、被入力ホスト）は、外部のＨＩＤが接続されたことを検出することができる。このため、ユーザは、随時、ＨＩＤ（即ち、第２の電子装置２）から、第１の電子装置１に対して無線制御又は入力作業を行うことができる。
【００３９】
ホストをＨＩＤとして報告することができる無線送信変換装置３は、第１の電子装置１をＨＩＤとして報告することができる上、すでにＨＩＤに変換された第２の電子装置２からの無線信号を受信することができ、受信した無線信号を対応するＨＩＤコードに変換し、第１の電子装置１（被入力）に送信する。これにより、ユーザは、第１の電子装置１（被入力）に対して無線制御又は入力作業を行うことができる。
【００４０】
ＨＩＤに変換可能なホスト（即ち、第２の電子装置２）には、ＨＩＤ２１及び無線送信装置２２が設置される。ＨＩＤ２１及び無線送信装置２２は、内蔵方式又は外付け方式により、ＨＩＤに変換可能な第２の電子装置２に設置される。設置及び接続方式は、限定されず、様々な接続態様で接続される（図２中の接続態様２Ａ、２Ｂ、２Ｃ及び２Ｄを参照）。
【００４１】
ＨＩＤに変換可能な第２の電子装置２に実行されるシステムは、まず、無線送信装置２２により、ＨＩＤ２１に入力されたＨＩＤコードを無線データパケットにし、無線送信方式４によって無線送信変換装置３に送信する。次に、無線送信変換装置３は、無線データパケットを受信した後、無線データパケットを解読する上、ＨＩＤコードを被入力ホスト（即ち、第１の電子装置１）に送信する。これにより、ユーザは、第１の電子装置１（被入力）に対して無線制御又は入力作業を行うことができる。
【００４２】
本考案の実施形態（使用方式）を例示し、図面と合わせて説明を行う。
【００４３】
（第１実施形態）
図４を参照する。図４に示すように、ＨＩＤに変換されたホスト（即ち、第２の電子装置２）は、内蔵式のＨＩＤ２１から入力されたＨＩＤコードを受信し、内蔵式のブルートゥース（これに限定されない）無線送信装置２２により、ＨＩＤコードを無線データパケット方式によって被入力ホスト（即ち、第１の電子装置１）の外付け式ブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。
【００４４】
（第２実施形態）
図５を参照する。図５に示すように、ＨＩＤに変換されたホスト（即ち、第２の電子装置２）は、内蔵式のＨＩＤ２１から入力されたＨＩＤコードを受信し、外付け式の２．４ＧＨｚ（これに限定されない）無線送信装置２２により、ＨＩＤコードを無線データパケット方式によって被入力ホスト（即ち、第１の電子装置１）の外付け式の２．４ＧＨｚ（これに限定されない）無線送信変換装置３に送信する。２．４ＧＨｚ無線送信変換装置３は、受信した無線データパケットを解読した後、ＨＩＤコードを取得する上、ホスト（即ち、第１の電子装置１）に入力する。
【００４５】
（第３実施形態）
図６を参照する。図６に示すように、ＨＩＤに変換されたホスト（即ち、第２の電子装置２）は、内蔵式のＨＩＤ２１から入力されたＨＩＤコードを受信し、外付け式ブルートゥース（これに限定されない）無線送信装置２２により、ＨＩＤコードを無線データパケット方式によって被入力ホスト（即ち、第１の電子装置１）の内蔵式のブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。
【００４６】
（第４実施形態）
図７を参照する。図７に示すように、ＨＩＤに変換されたホスト（即ち、第２の電子装置２）は、外付け式のＨＩＤ２１から入力されたＨＩＤコードを受信し、外付け式の２．４ＧＨｚ（これに限定されない）無線送信装置２２により、ＨＩＤコードを無線データパケット方式によって被入力ホスト（即ち、第１の電子装置１）の外付け式の２．４ＧＨｚ（これに限定されない）無線送信変換装置３に送信する。２．４ＧＨｚ無線送信変換装置３は、受信した無線データパケットを解読した後、ＨＩＤコードを取得する上、ホスト（即ち、第１の電子装置１）に入力する。
【００４７】
（第５実施形態）
図８を参照する。図８に示すように、ＨＩＤに変換されたホスト（即ち、第２の電子装置２）は、外付け式ＨＩＤ２１から入力されたＨＩＤコードを受信し、内蔵式のブルートゥース（これに限定されない）無線送信装置２２により、ＨＩＤコードを無線データパケット方式によって被入力ホスト（即ち、第１の電子装置１）の外付け式ブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。
【００４８】
（第６実施形態）
図９を参照する。図９に示すように、ＨＩＤに変換されたホスト（即ち、第２の電子装置２）は、外付け式のＨＩＤ２１から入力されたＨＩＤコードを受信し、内蔵式のブルートゥース（これに限定されない）無線送信装置２２により、ＨＩＤコードを無線データパケット方式によって被入力ホスト（即ち、第１の電子装置１）の内蔵式のブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。
【００４９】
（第７実施形態）
図１０を参照する。図１０に示すように、ＨＩＤに変換されたホスト（即ち、第２の電子装置２）は、外付け式のＨＩＤ２１から入力されたＨＩＤコードを受信し、外付け式のブルートゥース（これに限定されない）無線送信装置２２により、ＨＩＤコードを無線データパケット方式によって被入力ホスト（即ち、第１の電子装置１）の内蔵式のブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。
【００５０】
（第８実施形態）
図１１を参照する。図１１に示すように、ＨＩＤに変換されたホスト（即ち、第２の電子装置２）は、内蔵式のＨＩＤ２１から入力されたＨＩＤコードを受信し、内蔵式のブルートゥース（これに限定されない）無線送信装置２２により、ＨＩＤコードを無線データパケット方式によって被入力ホスト（即ち、第１の電子装置１）の内蔵式のブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。
【００５１】
（第９実施形態）
図１２を参照する。図１２に示すように、ＨＩＤに変換された複数のホスト（即ち、複数の第２の電子装置２）は、内蔵式／外付け式のＨＩＤ２１から入力されたＨＩＤコードを受信し、内蔵式／外付け式のブルートゥース（これに限定されない）無線送信装置２２により、ＨＩＤコードを無線データパケット方式によって被入力ホスト（即ち、第１の電子装置１）の内蔵式／外付け式のブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。本実施形態においては、ＨＩＤに変換された複数のホスト（即ち、複数の第２の電子装置２）が単一の被入力ホスト（即ち、単一の第１の電子装置１）に対して無線制御又は入力作業を行う。
【００５２】
（第１０実施形態）
図１３を参照する。図１３に示すように、ＨＩＤに変換されたホスト（即ち、第２の電子装置２）は、内蔵式／外付け式のＨＩＤ２１から入力されたＨＩＤコードを受信し、内蔵式／外付け式のブルートゥース（これに限定されない）無線送信装置２２により、ＨＩＤコードを無線データパケット方式によって複数の被入力ホスト（即ち、複数の第１の電子装置１）の内蔵式／外付け式のブルートゥース（これに限定されない）無線送信変換装置３に送信する。ブルートゥース無線送信変換装置３は、受信した無線データパケットを解読した後、ＨＩＤコードを取得する上、ホスト（即ち、第１の電子装置１）に入力する。本実施形態においては、ＨＩＤに変換された単一のホスト（即ち、単一の第２の電子装置２）が複数の被入力ホスト（即ち、複数の第１の電子装置１）に対して無線制御又は入力作業を行う。
【００５３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００５４】
１  第１の電子装置
１Ａ  接続態様
１Ｂ  接続態様
２  第２の電子装置
２１  ＨＩＤ
２２  無線送信装置
２Ａ  接続態様
２Ｂ  接続態様
２Ｃ  接続態様
２Ｄ  接続態様
３  無線送信変換装置
３１  コントローラ
３２  無線通信素子
４  無線通信方式
【図１】
0003173500.tif 000003
【図２】
0003173500.tif 000004
【図３】
0003173500.tif 000005
【図４】
0003173500.tif 000006
【図５】
0003173500.tif 000007
【図６】
0003173500.tif 000008
【図７】
0003173500.tif 000009
【図８】
0003173500.tif 000010
【図９】
0003173500.tif 000011
【図１０】
0003173500.tif 000012
【図１１】
0003173500.tif 000013
【図１２】
0003173500.tif 000014
【図１３】
0003173500.tif 000015